(57)【要約】【課題】  出力電圧が310ボルトより低く交流電圧発生が不要な電源回路電源回路を提供する。【解決手段】  外部からの直流電圧をアノード側に入力する降圧チョッパーSW素子と、前記降圧チョッパーSW素子のゲート側に接続する降圧チョッパードライブ回路と、前記降圧チョッパーSW素子のカソード側にカソード側が接続する第１のダイオードと、前記第１のダイオードのカソード側に接続するコイルと、前記コイルの前記第１のダイオードのカソード側に接続するのとは反対側にアノード側が接続する第２のダイオードと、前記第２のダイオードのアノード側にアノード側が接続する昇圧チョッパーSW素子と、前記昇圧チョッパーSW素子のゲート側に接続する昇圧チョッパードライブ回路と、前記第２のダイオードのカソード側に入力側が接続するイグナイター回路とを備え前記イグナイター回路の出力側から給電することを特徴とする電源回路。【選択図】      図１
2007273384.tif 000002
【特許請求の範囲】
【請求項１】
外部からの直流電圧をアノード側に入力する降圧チョッパーSW素子と、
前記降圧チョッパーSW素子のゲート側に接続する降圧チョッパードライブ回路と、
前記降圧チョッパーSW素子のカソード側にカソード側が接続する第１のダイオードと、
前記第１のダイオードのカソード側に接続するコイルと、
前記コイルの前記第１のダイオードのカソード側に接続するのとは反対側にアノード側が接続する第２のダイオードと、
前記第２のダイオードのアノード側にアノード側が接続する昇圧チョッパーSW素子と、
前記昇圧チョッパーSW素子のゲート側に接続する昇圧チョッパードライブ回路と、
前記第２のダイオードのカソード側に入力側が接続するイグナイター回路とを
備え前記イグナイター回路の出力側から給電することを特徴とする電源回路。
【請求項２】
外部からの直流電圧をアノード側に入力する降圧チョッパーSW素子と、
前記降圧チョッパーSW素子のゲート側に接続する降圧チョッパードライブ回路と、
前記降圧チョッパーSW素子のカソード側にカソード側が接続する第１のダイオードと、
前記第１のダイオードのカソード側に接続するコイルと、
前記コイルの前記第１のダイオードのカソード側に接続するのとは反対側にアノード側が接続する第２のダイオードと、
前記第２のダイオードのアノード側にアノード側が接続する昇圧チョッパーSW素子と、
前記昇圧チョッパーSW素子のゲート側に接続する昇圧チョッパードライブ回路と、
前記第２のダイオードのカソード側に入力側が接続するイグナイター回路と、
前記降圧チョッパーSW素子のアノード電圧と前記第２のダイオードの出力電圧とをセンスし、前記降圧チョッパードライブ回路と前記昇圧チョッパードライブ回路とを制御する制御回路とを
備え前記イグナイター回路の出力側から給電することを特徴とする電源回路。
【請求項３】
外部からの直流電圧を入力する入力端子と、
前記入力端子に接続する入力コンデンサと、
前記入力コンデンサにアノード側が接続する降圧チョッパーSW素子と、
前記降圧チョッパーSW素子のゲート側に接続する降圧チョッパードライブ回路と、
前記降圧チョッパーSW素子のカソード側にカソード側が接続する第１のダイオードと、
前記第１のダイオードのカソード側に接続するコイルと、
前記コイルの前記第１のダイオードのカソード側に接続するのとは反対側にアノード側が接続する第２のダイオードと、
前記第２のダイオードのアノード側にアノード側が接続する昇圧チョッパーSW素子と、
前記昇圧チョッパーSW素子のゲート側に接続する昇圧チョッパードライブ回路と、
前記第２のダイオードのカソード側に接続するコンデンサと、
前記第２のダイオードのカソード側に入力側が接続するイグナイター回路と、
前記イグナイター回路の出力側に接続する出力端子とを
備えたことを特徴とする電源回路。
【請求項４】
外部からの直流電圧を入力する入力端子と、
前記入力端子に接続する入力コンデンサと、
前記入力コンデンサにアノード側が接続する降圧チョッパーSW素子と、
前記降圧チョッパーSW素子のゲート側に接続する降圧チョッパードライブ回路と、
前記降圧チョッパーSW素子のカソード側にカソード側が接続する第１のダイオードと、
前記第１のダイオードのカソード側に接続するコイルと、
前記コイルの前記第１のダイオードのカソード側に接続するのとは反対側にアノード側が接続する第２のダイオードと、
前記第２のダイオードのカソード側に接続するコンデンサと、
前記第２のダイオードのカソード側に入力側が接続するイグナイター回路と、
前記イグナイター回路の出力側に接続する出力端子と、
前記降圧チョッパーSW素子のアノード電圧と前記第２のダイオードの出力電圧とをセンスし、前記降圧チョッパードライブ回路と前記昇圧チョッパードライブ回路とを制御する制御回路とを
備えたことを特徴とする電源回路。
【発明の詳細な説明】
【技術分野】
【０００１】
本発明は、電源回路に係り、特にランプへ電圧、電流を供給するランプバラスト電源回路に関する。
【背景技術】
【０００２】
電源回路として例えばプロジェクションテレビにおいては、映像をスクリーンに投射するための光源としてランプが用いられている。但しこのランプには高出力の光を得るために、電源として例えば高い直流電圧が供給されている場合が多い。なおかつ電源起動からのタイミングにより必要電圧が異なることがある。
【０００３】
このため、例えば特許文献１によるものは、無負荷開放電圧310ボルト以上の電圧を得る電子バラストについて記載されている。なお請求項２には直流／交流インバータを構成要件としている。しかし、実際に利用される電圧が310ボルトより低い用途には適さず、またかかる用途には直流／交流インバータといった交流電圧を発生する構成が不要のものがあるという問題があった。
【特許文献１】特開平５−３３５０９０。
【発明の開示】
【発明が解決しようとする課題】
【０００４】
本発明は、出力電圧が310ボルトより低く交流電圧発生が不要な電源回路を提供することを目的とする。
【課題を解決するための手段】
【０００５】
上記課題を解決するための、外部からの直流電圧をアノード側に入力する降圧チョッパーSW素子と、前記降圧チョッパーSW素子のゲート側に接続する降圧チョッパードライブ回路と、前記降圧チョッパーSW素子のカソード側にカソード側が接続する第１のダイオードと、前記第１のダイオードのカソード側に接続するコイルと、前記コイルの前記第１のダイオードのカソード側に接続するのとは反対側にアノード側が接続する第２のダイオードと、前記第２のダイオードのアノード側にアノード側が接続する昇圧チョッパーSW素子と、前記昇圧チョッパーSW素子のゲート側に接続する昇圧チョッパードライブ回路と、前記第２のダイオードのカソード側に入力側が接続するイグナイター回路とを備え前記イグナイター回路の出力側から給電することを特徴とする電源回路。
【発明の効果】
【０００６】
本発明によれば、出力電圧が310ボルトより低く交流電圧発生が不要な電源回路が得られる。
【発明を実施するための最良の形態】
【０００７】
以下、本発明の実施例を説明する。
【実施例１】
【０００８】
本発明による電源回路の実施例１を図１乃至図２を参照して説明する。
図１は、電源回路の回路構成図である。商用のAC120V等電圧を整流し直流電圧にしたものを入力とする入力端子１には入力コンデンサ２が接続されている。また入力コンデンサ２の接地されてない側には降圧チョッパーSW素子３のアノードが接続されており、降圧チョッパーSW素子３のゲートには降圧チョッパードライブ回路４が接続されている。
【０００９】
降圧チョッパーSW素子３のカソードにはダイオード５のカソードが接続されておりダイオード５のアノードは接地されている。ダイオード５のカソードにはコイル６が接続されている。昇圧チョッパードライブ回路７は昇圧チョッパーSW素子８のゲートに接続され、この昇圧チョッパーSW素子８のアノードがコイル６のダイオード５のカソードに接続されている反対側に接続されている。昇圧チョッパーSW素子８のカソードは接地されている。昇圧チョッパーSW素子のアノードにはダイオード９のアノードが接続されている。ダイオード９のカソードにはコンデンサ１０が接続されていてコンデンサ１０の他端は接地されている。
【００１０】
ダイオード９のカソードにはまたイグナイター回路１１の入力側が接続されていて、イグナイター回路１１の出力側には出力端子１２が接続されている。出力端子１２の対になる端子は設地されている。
【００１１】
制御回路１３は降圧チョッパーSW素子３のアノード電圧とダイオード９の出力電圧とをセンスし、降圧チョッパードライブ回路４と昇圧チョッパードライブ回路７とを制御するように構成されている。
【００１２】
図２は、ランプ起動特性に対応する電圧、電流供給の説明図である。グロー基準電圧２０は水銀ランプを使用する場合で約DC220V以上の電圧が必要で、グロー基準電流は例えば約２〜３Wの電力を供給するような値である。
【００１３】
動作としてランプバラストの起動時には、イグナイター回路により、約3kV程度の電圧で、例えばμSオーダの時間で火花放電を行い、その後、グロー放電期間で、例えば約２S間DC220V以上の電圧を発生する。ランプが正常に起動した後は、アーク放電期間に移行し、約50V〜100V程度の電圧でよい。
【００１４】
従来の回路では、この起動時のグロー放電に必要な電圧220Vを得るためには、入力電圧はこれ以上必要であり、入力電圧を250V以上にする必要がある。これを解決するための手段として本発明では、通常のランプバラスト電源は降圧チョッパー電源方式であるが、これに昇圧チョッパー電源方式を追加することにより、入力電圧が低い場合(または入力ワイドレンジに対応)でも動作するようにしたものである。
【００１５】
降圧チョッパー回路のコイル6を昇圧チュッパー回路のコイル6と共用して、コイル6の後段に対アースに昇圧チョッパー用のSW素子8を追加し、入力電圧が低い場合は前段の降圧チョッパーのSW素子3をONにして、入力電圧とし、後段の昇圧チョッパーのSW素子8をON/OFF動作させる。入力電圧が高い場合は、前段の降圧チョッパーのＳＷ素子3をON/OFF動作させて、後段の昇圧チョッパーのＳＷ素子8は停止させる。
【００１６】
従来回路では、DC250V以上得るためにたとえは北米向けでは、AC120Vを倍電圧整流している。本発明の回路方式で入力電圧を低電圧化が可能で、ACを全波整流でも可能、また、入力電圧のワイドレンジ動作も可能である。
【図面の簡単な説明】
【００１７】
【図１】本発明による電源回路の実施例１の回路構成図。
【図２】電源回路の実施例１のランプ起動特性に対応する電圧、電流供給の説明図。
【符号の説明】
【００１８】
１  入力端子
２  入力コンデンサ
３  降圧チョッパーSW素子
４  降圧チョッパードライブ回路
５  ダイオード
６  コイル
７  昇圧チョッパードライブ回路
８  昇圧チョッパーSW素子
９  ダイオード
10  コンデンサ
11  イグナイター回路
12  出力端子
13  制御回路
20  グロー基準電圧
21  グロー基準電流
【図１】
2007273384.tif 000003
【図２】
2007273384.tif 000004